(57)【要約】  キッチンタイマの機能とテレビ制御機能を一つのリモコンに一体化し、調理とテレビ視聴の相互連携を簡易化する。  図５に示すように、リモコン５０でキッチンタイマ機能を実行する場合、ユーザは機能選択ボタン７１を所定回数押下してキッチンタイマ機能を選択する。つぎにユーザは、希望する時間の「分」単位部分について第１時間設定ボタン７２の押下により設定し、次に「秒」単位部分について第２時間設定ボタン７３の押下により設定する。最後にユーザは、ＳＥＴ／ＳＴＯＰボタン７４を押下することで、キッチンタイマ機能の進行が開始する。そして、カウントアップして表示が「０分０秒」になると、リモコン制御部５６はブザー５８から報知音を出力する。また、リモコン制御部５６は、液晶表示部５４の表示を時刻表示にする。
2009014206.tif 000002
【特許請求の範囲】
【請求項１】
テレビ放送受像機を操作するテレビ操作機能部と、
前記テレビ放送受像機の操作とは独立してタイマを進行させることが可能なタイマ機能部と、
前記タイマ機能部におけるタイマの進行を報知する報知部と、
を備えるリモコン装置。
【請求項２】
前記報知部は、前記タイマの進行を表示する表示部を備えることを特徴とする請求項１に記載のリモコン装置。
【請求項３】
前記タイマ機能部は、複数のタイマを実行可能であることを特徴とする請求項１に記載のリモコン装置。
【請求項４】
前記タイマ機能部は、複数のタイマを実行可能であることを特徴とする請求項２に記載のリモコン装置。
【請求項５】
前記テレビ操作機能部は、前記タイマ機能が作動し設定された時間に達したときに、前記テレビ放送受像機を操作する信号を出力することを特徴とする請求項１から４までのいずれか１項に記載のリモコン装置。
【請求項６】
前記テレビ操作機能部は、当該リモコン装置が本来操作対象としているテレビ放送受像機以外のテレビ放送受像機を前記タイマ動作に連動して操作可能であることを特徴とする請求項５に記載のリモコン装置。
【請求項７】
前記テレビ操作機能部は、前記タイマ機能が作動開始したとき、タイマとして設定された時間及び作動開始を前記テレビ操作機能部に通知することを特徴とする請求項１から４までのいずれか１項に記載のリモコン装置。
【請求項８】
前記テレビ操作機能部は、前記タイマ機能が作動し設定された時間に達したときに、前記テレビ放送受像機を操作する信号を出力するとともに、前記タイマ機能が作動開始したとき、タイマとして設定された時間及び作動開始を前記テレビ操作機能部に通知することを特徴とする請求項１から４までのいずれか１項に記載のリモコン装置。
【請求項９】
前記テレビ操作機能部は、当該リモコン装置が本来操作対象としているテレビ放送受像機以外のテレビ放送受像機を前記タイマ動作に連動して操作可能であることを特徴とする請求項８に記載のリモコン装置。
【請求項１０】
当該リモコン装置がテレビ放送受像機以外の外部機器を前記タイマ動作に連動して操作する外部機器操作機能部を備えることを特徴とする請求項６に記載のリモコン装置。
【請求項１１】
当該リモコン装置がテレビ放送受像機以外の外部機器を前記タイマ動作に連動して操作する外部機器操作機能部を備えることを特徴とする請求項９に記載のリモコン装置。
【請求項１２】
前記タイマ機能部は、所定のタイミングでタイマの進行状態を通知することを特徴とする請求項１から４までのいずれか１項に記載のリモコン装置。
【請求項１３】
前記タイマ機能部は、所定のタイミングでタイマの進行状態を通知することを特徴とする請求項５に記載のリモコン装置。
【請求項１４】
前記タイマ機能部は、所定のタイミングでタイマの進行状態を通知することを特徴とする請求項６に記載のリモコン装置。
【請求項１５】
当該リモコン装置を所定の場所に固定する固定手段を有することを特徴とする請求項１から４までのいずれか１項に記載のリモコン装置。
【請求項１６】
当該リモコン装置を所定の場所に固定する固定手段を有することを特徴とする請求項５に記載のリモコン装置。
【請求項１７】
当該リモコン装置を所定の場所に固定する固定手段を有することを特徴とする請求項６に記載のリモコン装置。
【請求項１８】
当該リモコン装置を所定の場所に固定する固定手段を有することを特徴とする請求項７に記載のリモコン装置。
【請求項１９】
当該リモコン装置を所定の場所に固定する固定手段を有することを特徴とする請求項８に記載のリモコン装置。
【請求項２０】
当該リモコン装置を所定の場所に固定する固定手段を有することを特徴とする請求項９に記載のリモコン装置。
【請求項２１】
前記テレビ操作機能部を操作するためのテレビ操作手段と、前記タイマ機能部を操作するためのタイマ操作手段とが、前記表示部により分離して配置されていることを特徴とする請求項１５に記載のリモコン装置。
【請求項２２】
前記テレビ操作機能部を操作するためのテレビ操作手段と、前記タイマ機能部を操作するためのタイマ操作手段とが、前記表示部により分離して配置されていることを特徴とする請求項１６に記載のリモコン装置。
【請求項２３】
前記テレビ操作機能部を操作するためのテレビ操作手段と、前記タイマ機能部を操作するためのタイマ操作手段とが、前記表示部により分離して配置されていることを特徴とする請求項１７に記載のリモコン装置。
【請求項２４】
前記テレビ操作機能部を操作するためのテレビ操作手段と、前記タイマ機能部を操作するためのタイマ操作手段とが、前記表示部により分離して配置されていることを特徴とする請求項１８に記載のリモコン装置。
【請求項２５】
前記テレビ操作機能部を操作するためのテレビ操作手段と、前記タイマ機能部を操作するためのタイマ操作手段とが、前記表示部により分離して配置されていることを特徴とする請求項１９に記載のリモコン装置。
【請求項２６】
前記テレビ操作機能部を操作するためのテレビ操作手段と、前記タイマ機能部を操作するためのタイマ操作手段とが、前記表示部により分離して配置されていることを特徴とする請求項２０に記載のリモコン装置。
【請求項２７】
複数の位置にリモコン信号通信部と、
複数の前記リモコン信号通信部からのリモコン信号をテレビ放送受像機に送信後、前記テレビ放送受像機から通信確立できた前記前記リモコン信号通信部に関連する情報を取得し、複数の前記リモコン信号通信部のうち、前記テレビ放送受像機と通信が確立できない前記リモコン信号通信部の通信機能を停止する制御手段と、
を備えたことを特徴とする請求項１から４までのいずれかに記載のリモコン装置。
【請求項２８】
前記表示部の位置と、前記テレビ操作手段の位置と、前記タイマ操作手段の位置とのそれぞれと相対的位置関係を保って配置された複数のリモコン信号通信部を備えたことを特徴とする請求項２７に記載のリモコン装置。
【請求項２９】
複数の前記リモコン信号通信部からのリモコン信号をテレビ放送受像機に送信後、前記テレビ放送受像機から通信確立できた前記前記リモコン信号通信部に関連する情報を取得し、複数の前記リモコン信号通信部のうち、前記テレビ放送受像機と通信が確立できない前記リモコン信号通信部の通信機能を停止する制御手段を備えたことを特徴とする請求項２８に記載のリモコン装置。
【請求項３０】
リモコン装置からの操作が可能なテレビ放送受像機であって、
前記リモコン装置から、当該テレビ放送受像機の予約動作を目的とせず前記リモコン装置単独で進行可能なタイマの作動に関する情報を取得するタイマ操作取得部と、
前記取得した前記タイマ機能の作動に関する情報に関連づけられた動作を行うタイマ動作部と、
を有することを特徴とするテレビ放送受像機。
【請求項３１】
前記タイマ操作取得部が前記タイマ機能の開始である旨の情報を受けたときに、当該テレビ放送受像機の電源をオン又はオフする電源制御部を有することを特徴とする請求項３０に記載のテレビ放送受像機。
【請求項３２】
前記タイマ動作部は、前記タイマ操作取得部が前記タイマ機能の開始および設定時間の通知を受けたときにタイマの進行時間を表示画面に表示することを特徴とする請求項３０または３１に記載のテレビ放送受像機。
【請求項３３】
前記タイマ動作部は、前記タイマの進行が設定された時間に達したときに、その設定時間に達した旨を表示画面に表示することを特徴とする請求項３０または３１に記載のテレビ放送受像機。
【請求項３４】
前記タイマ動作部は、前記タイマ操作取得部が前記タイマ機能の開始および設定時間の通知を受けたときにタイマの進行時間を表示画面に表示するとともに、前記タイマの進行が設定された時間に達したときに、その設定時間に達した旨を表示画面に表示することを特徴とする請求項３２に記載のテレビ放送受像機。
【請求項３５】
前記リモコン装置からの操作信号を受信可能に、前記リモコン装置を収納する収納部を有することを特徴とする請求項３０または３１に記載のテレビ放送受像機。
【請求項３６】
前記リモコン装置からの操作信号を受信可能に、前記リモコン装置を収納する収納部を有することを特徴とする請求項３２に記載のテレビ放送受像機。
【請求項３７】
前記リモコン装置からの操作信号を受信可能に、前記リモコン装置を収納する収納部を有することを特徴とする請求項３３に記載のテレビ放送受像機。
【請求項３８】
前記リモコン装置からの操作信号を受信可能に、前記リモコン装置を収納する収納部を有することを特徴とする請求項３４に記載のテレビ放送受像機。
【請求項３９】
テレビ放送受像機を操作するテレビ操作機能部と、
タイマ機能部と
前記タイマ機能部におけるタイマの進行を報知する報知部と、
を備えるリモコン装置。
【請求項４０】
タイマ機能を有するリモコン装置から、前記タイマ機能の作動に関する情報を取得するタイマ操作取得部と、
前記取得した前記タイマ機能部の作動に関する情報に関連づけられた動作を行うタイマ動作部と、
を有することを特徴とするテレビ放送受像機。
【発明の詳細な説明】
【技術分野】
【０００１】
本発明は、リモコン装置及びテレビ放送受像機に係り、タイマ機能を有するリモコン装置及びそのリモコン装置により操作可能なテレビ放送受像機に関する。
【背景技術】
【０００２】
近年、テレビ放送受像機（以下、単に「テレビ」とも言う）のパーソナル化が進み、リビングだけでなく、各部屋に設置されたりするようになった。また、液晶テレビ等の薄型テレビは、ブラウン管テレビと比較して設置場所の制約が少なく、バッテリを内蔵した可搬型テレビも増大してきており様々な場所に設置されるようになった。例えば、比較的設置場所の制約の大きいキッチンであっても、液晶テレビであればキッチンの部屋の壁面に簡単に設置できる等、設置場所の選択肢も拡大できる。【０００３】
そして、キッチンに設置されたテレビで、料理番組を見ながら料理を作ったりすることもある。そのようなライフスタイルを支援する技術として、例えば、リビングに設置されたテレビで視聴している番組を、所定の操作によってキッチンに設置されたテレビに録画する技術がある（特許文献１参照）。この技術によって、ユーザは調理のときに、録画されている番組をキッチンのテレビで見ながら調理を行える。また、一般的なタイマ機能を備えた電気機器に対してリモコン装置に設定した時間情報を所定の操作ボタンを操作して送信し電気機器側のタイマ制御を行う技術がある。（特許文献２参照）。【０００４】
ところで、非常に忙しい現代社会にあっては、調理の簡単なレトルト食品も好まれるようになっており、最近のレトルト食品は、加熱や解凍の時間管理だけでおいしい料理が提供できるまでになっている。【０００５】
ところが、例えば電子レンジでレトルト食品を調理するときに、加熱時間をセットした後、テレビを見始めると、加熱が終了しても、テレビに集中していたりすると、ユーザはその終了の報知音に気がつかないときがある。また、上述のようにキッチンでテレビの料理番組を確認しながら料理をする場合であっても、食品に応じた加熱時間や電子レンジでの所定の解凍時間が必要な場合がある。この場合でも、ユーザは、テレビの音量を大きくして視聴していたり、水道の水を出しながら食器を洗浄するなどしているとこれらの生活環境がいわゆる生活騒音となりそれらの作業が終了したことを気づかないこともある。そこで、ユーザは専用のキッチンタイマ等を用いることで調理時間の終了等を確認するようにしている。
【特許文献１】特開２００７−１２９３０９号公報
【特許文献２】特開２００２−１３９５８８号公報
【発明の開示】
【発明が解決しようとする課題】
【０００６】
ところで、電子レンジによる加熱・解凍のような一般的に安全な調理の場合は、ユーザはキッチンから離れリビングなどでテレビを見てしまい、キッチンタイマの音にも気づかないこともある。また、調理中にリビングに電話の着信があるとリビングに行って電話に出たり、玄関に来訪者があると玄関へ行く等の場合、キッチンタイマを携帯すればそのようなことは回避できるが、携帯するつもりがキッチンに置いたままにしてしまうことがある。キッチンにテレビがあっても、テレビに集中するあまり、同様にキッチンタイマの終了音に気づかないことがある。また特許文献２に開示の技術は、リモコン本体を操作して、電気機器側のいわゆる時計機能に関連付けされた時刻データ等の時間情報を入力後、保存しておき、電気機器側の時計機能に関連付けされた所望の動作を目的として、リモコン本体から電気機器側の動作をＯＮ／ＯＦＦさせるための時間情報を送信するものである。【０００７】
本発明の目的は、上記課題に鑑み、調理中にテレビを視聴している場合であってもテレビ機能以外のタイマとして設定した時間の経過を、リモコン本体のみで又はテレビが本来備えている機能と連携してより効果的に認識できるようにする技術を提供することにある。
【課題を解決するための手段】
【０００８】
本発明に係る装置は、リモコン装置に関する。このリモコン装置は、テレビ放送受像機を操作するテレビ操作機能部と、前記テレビ放送受像機の操作とは独立してタイマを進行させることが可能なタイマ機能部と、前記タイマ機能部におけるタイマの進行を報知する報知部と、を備える。
また、前記報知部は、前記タイマの進行を表示する表示部を備えてもよい。
また、前記タイマ機能部は、複数のタイマを実行可能であってもよい。
また、前記テレビ操作機能部は、前記タイマ機能が作動し設定された時間に達したときに、前記テレビ放送受像機を操作する信号を出力してもよい。
また、前記テレビ操作機能部は、当該リモコン装置が本来操作対象としているテレビ放送受像機以外のテレビ放送受像機を前記タイマ動作に連動して操作可能であってもよい。
また、前記テレビ操作機能部は、前記タイマ機能が作動開始したとき、作動開始及びタイマとして設定された時間を前記テレビ操作機能部に通知してもよい。
また、当該リモコン装置は、テレビ放送受像機以外の外部機器を前記タイマ動作に連動して操作する外部機器操作機能部を備えてもよい。
また、前記テレビ操作機能部は、前記タイマ機能が作動開始したとき、作動開始及びタイマとして設定された時間を前記テレビ放送受信装置に通知してもよい。
また、前記タイマ機能部は、所定のタイミングでタイマの進行状態を通知してもよい。
また、当該リモコン装置を所定の場所に固定する固定手段を有してもよい。
また、前記テレビ操作機能部を操作するためのテレビ操作手段と、前記タイマ機能部を操作するためのタイマ操作手段とが、前記表示部により分離して配置されてもよい。
また、複数の位置にリモコン信号通信部と、複数の前記リモコン信号通信部からのリモコン信号をテレビ放送受像機に送信後、前記テレビ放送受像機から通信確立できた前記前記リモコン信号通信部に関連する情報を取得し、複数の前記リモコン信号通信部のうち、前記テレビ放送受像機と通信が確立できない前記リモコン信号通信部の通信機能を停止する制御手段と、を備えてもよい。
また、前記表示部の位置と、前記テレビ操作手段の位置と、前記タイマ操作手段の位置とのそれぞれと相対的位置関係を保って配置された複数のリモコン信号通信部を備えてもよい。
また、複数の前記リモコン信号通信部からのリモコン信号をテレビ放送受像機に送信後、前記テレビ放送受像機から通信確立できた前記前記リモコン信号通信部に関連する情報を取得し、複数の前記リモコン信号通信部のうち、前記テレビ放送受像機と通信が確立できない前記リモコン信号通信部の通信機能を停止する制御手段を備えてもよい。
本発明に係る別の装置は、テレビ放送受像機に関する。このテレビ放送受像機は、リモコン装置からの操作が可能なテレビ放送受像機であって、前記リモコン装置から、当該テレビ放送受像機の予約動作を目的とせず前記リモコン装置単独で進行可能なタイマの作動に関する情報を取得するタイマ操作取得部と、前記取得した前記タイマ機能の作動に関する情報に関連づけられた動作を行うタイマ動作部と、を有する。
また、前記タイマ操作取得部が前記タイマ機能の開始である旨の情報を受けたときに、当該テレビ放送受像機の電源をオン又はオフする電源制御部を有してもよい。
また、前記タイマ動作部は、前記タイマ操作取得部が前記タイマ機能の開始および設定時間の通知を受けたときにタイマの進行時間を表示画面に表示してもよい。
また、前記タイマ動作部は、前記タイマの進行が設定された時間に達したときに、その設定時間に達した旨を表示画面に表示してもよい。
また、前記リモコン装置からの操作信号を受信可能に、前記リモコン装置を収納する収納部を有してもよい。
本発明に係る別の装置は、リモコン装置に関する。このリモコン装置は、テレビ放送受像機を操作するテレビ操作機能部と、タイマ機能部と、前記タイマ機能部におけるタイマの進行を報知する報知部と、を備える。
本発明に係る別の装置は、テレビ放送受像機に関する。このテレビ放送受像機は、タイマ機能を有するリモコン装置から、前記タイマ機能の作動に関する情報を取得するタイマ操作取得部と、前記取得した前記タイマ機能部の作動に関する情報に関連づけられた動作を行うタイマ動作部と、を有する。
【発明の効果】
【０００９】
本発明によれば、調理中にテレビを視聴している場合であってもテレビ機能以外のタイマとして設定した時間の経過をより効果的に認識できる。
【図面の簡単な説明】
【００１０】
【図１】第１の実施形態に係る、タイマ機能を有するリモコンが収納された状態のテレビ受信装置の外観を模式的に示す図である。
【図２】第１の実施形態に係る、テレビ受信装置から取り外された状態のリモコンの外観を模式的に示す図である。
【図３】第１の実施形態に係る、テレビ受信装置の機能ブロック図である。
【図４（ａ）】第１の実施形態に係る、リモコンの外観を模式的に示した平面図である。
【図４（ｂ）】第１の実施形態に係る、リモコンの外観を模式的に示した底面図である。
【図４（ｃ）】第１の実施形態に係る、リモコンの外観を模式的に示した正面図である。
【図４（ｄ）】第１の実施形態に係る、タイマ動作時のリモコンの外観を模式的に示した平面図である。
【図５】第１の実施形態に係る、リモコンの機能ブロック図である。
【図６（ａ）】第１の実施形態に係る、キッチンタイマが作動状態のときにテレビ受信装置の表示画面を示した図である。
【図６（ｂ）】第１の実施形態に係る、キッチンタイマがカウントアップのときにテレビ受信装置の表示画面を示した図である。
【図７】第１の実施形態に係る、リモコンからタイマ動作指示を受けた際のテレビ受信装置のタイマ動作処理を示すフローチャートである。
【図８】第１の実施形態に係る、カウントアップ時のテレビ受信装置の動作について示したフローチャートである。
【図９】第２の実施形態に係る、テレビ受信装置の機能ブロック図である。
【図１０】第２の実施形態に係る、リモコンの機能ブロック図である。
【図１１（ａ）】第２の実施形態に係る、タイマ動作をテレビ受信装置で変更またはキャンセルするときに表示部にされる第１の画面例を示す図である。
【図１１（ｂ）】第２の実施形態に係る、タイマ動作をテレビ受信装置で変更またはキャンセルするときに表示部にされる第２の画面例を示す図である。
【図１２】第２の実施形態に係る、キッチンタイマが作動状態のときにテレビ受信装置の表示画面を示した図である。
【図１３】第３の実施形態に係る、レコーダの機能ブロック図である。
【符号の説明】
【００１１】
１０、１１０、２１１  テレビ受信装置
１１  液晶パネル
１２  スタンド
１４  リモコン収納部
１６  受信部
１７  送信部
１８  アンテナ
１９  操作部
２０  主制御部
２２  復調回路
２４  外部入力部
２６  セレクタ
２８  信号処理部
３２  出力部
３４  表示部
３６  スピーカ
３８  電源制御部
４０  電源回路
４２  メモリ
４３  タイマ部
４４  リモコン状態表示制御部
４５  タイマ情報保持部
４６  人体検知センサ
４７  外部リモコン処理部
５０  リモコン
５１  受信部
５１ａ  第１の受信部
５１ｂ  第２の受信部
５１ｃ  第３の受信部
５２  送信部
５２ａ  第１の送信部
５２ｂ  第２の送信部
５２ｃ  第３の送信部
５３  収納検知スイッチ
５４  液晶表示部
５４ａ  時刻表示部
５４ｂ  選択機能表示部
５５  マグネット
５６  リモコン制御部
５７  タイマ情報保持部
５９  タイマ部
６０  ＴＶコントロールキー部
６１  電源ボタン
６２  チャンネルアップボタン
６３  チャンネルダウンボタン
６４  音量アップボタン
６５  音量ダウンボタン
７０  時計・ライトアップキー部
７１  機能選択ボタン
７２  第１時間設定ボタン
７３  第２時間設定ボタン
７４  ＳＥＴ／ＳＴＯＰボタン
７５  照明ボタン
８０  外部機器操作部
２１０  レコーダ
【発明を実施するための最良の形態】
【００１２】
次に、本発明を実施するための最良の形態（以下、単に「実施形態」と言う）を、図面を参照して具体的に説明する。一般に、テレビ操作のリモコン装置（以下、単に「リモコン」と言う）はテレビ操作専用、又は電気機器を制御するだけのマルチリモコンに留まっている。また、キッチンタイマにしても、単独のタイマか調理機器や冷蔵庫の機能として付加されるものに限定されている。本発明では、キッチンタイマの機能とテレビ制御機能を一つのリモコンに一体化し、調理とテレビ視聴の相互連携を簡易化する。言い換えると、従来のリモコン装置では、上述の特許文献１や特許文献２に開示のように、テレビなどの被操作対象を所望の動作状態とするためにタイマ機能が実行された。つまり、タイマ機能によって、オンオフやチャンネルの変更等、ユーザの操作が代行された。しかし、本実施形態におけるタイマ機能は、テレビなどの被操作対象を所望の動作状態に置くための操作をユーザの代わりに行うものではなく、ユーザがタイマの進行に伴って予め念頭に置いたユーザ自身の動作を行うように促すものである。以下では、まず第１の実施形態で、本実施形態で提案する基本的な特徴を説明し、第２〜第４の実施形態においては第１の実施形態の技術を拡張した特徴を説明する。【００１３】
＜第１の実施形態＞
図１は、本実施形態に係る、タイマ機能を有する略楕円形状のリモコン５０が収納された状態のテレビ受信装置１０の外観を模式的に示す図である。また、図２は、リモコン５０が取り外された状態のテレビ受信装置１０の外観を模式的に示す図である。また、図３は、テレビ受信装置１０の機能ブロック図である。【００１４】
まず、テレビ受信装置１０の外観について図１及び図２を参照して説明する。テレビ受信装置１０は、液晶パネル１１などを備える表示部３４と、テレビ受信装置１０を所定の姿勢に保つスタンド１２とを備えている。また、スタンド１２は、リモコン５０を収納可能なリモコン収納部１４を備えている。ここでは、リモコン５０の形状に合わせて、リモコン収納部１４は外形が楕円形状で凹状になっている。【００１５】
そして、表示部３４は、外枠部分の図右下に受信部１６を有しており、図１に示すようなリモコン５０がリモコン収納部１４に収納された状態でも、受信部１６はリモコン５０からの操作信号を適正に受信する。当然に、図２に示すようなリモコン５０がリモコン収納部１４から取り外された状態でも、受信部１６とリモコン５０が所定距離内であれば、受信部１６はリモコン５０からの信号を適正に受信する。また、テレビ受信装置１０とリモコン５０との間の通信は、赤外線通信やその他電波を用いた無線通信であってもよい。また、必要に応じて有線通信で行ってもよい。ここでは、赤外線通信によるものとして説明する。【００１６】
つぎに、テレビ受信装置１０の内部構成について図３の機能ブロック図を参照して説明する。テレビ受信装置１０は、テレビ受信装置１０の各構成要素を統括的に制御する主制御部２０、及び作業テーブルや記憶領域として機能するメモリ４２と、ユーザからの操作を受け付ける操作部１９とを備える。【００１７】
また、テレビ受信装置１０は、アンテナ１８に接続されてデジタルやアナログ信号の放送波を受信し復調する復調回路（チューナ）２２と、ＤＶＤプレーヤ等の外部機器が接続される外部入力部２４と、入力ソースとして復調回路２２または外部入力部２４を選択するセレクタ２６と、復調した信号を復号したり、画像データや音声データを所望の設定に調整する信号処理部２８と、表示部３４やスピーカ３６へ出力する信号に変換して出力する出力部３２と、液晶パネル１１などの表示部３４と、スピーカ３６と、時刻表示や経過時間の制御のためのタイマ部４３とを有する。さらに、テレビ受信装置１０は、リモコン５０により設定されたタイマ機能の進行状態を表示するリモコン状態表示制御部４４と、リモコン５０から取得したタイマ動作設定を記憶するタイマ情報保持部４５とを備える。【００１８】
出力部３２は、液晶パネル１１やブラウン管などの表示部３４に表示するための画像データや、スピーカ３６から出力される音声データを生成する。受信部１６は、例えばフォトダイオードを含む回路からなり、リモコン５０から出力される信号を電気信号に変換して、主制御部２０に通知する。そして、主制御部２０は、その通知に関連づけられた動作を実行する。【００１９】
また、テレビ受信装置１０は、１００Ｖ ５０／６０Ｈｚの商用交流電源に接続され所定の電圧の制御電流に変換する電源回路４０と、電源回路４０を制御する電源制御部３８とを備える。【００２０】
なお、主制御部２０や信号処理部２８、出力部３２等の各構成要素、さらに後述するリモコン５０のリモコン制御部５６（図５参照）等は、例えば、ＣＰＵ（中央演算装置）等のＬＳＩ（大規模集積回路）やメモリで構成され、メモリに記憶されたプログラムが実行されることで、その機能が実現される。【００２１】
つぎに、リモコン５０について説明する。図４は、リモコン５０の外観を模式的に示す図であり、図４（ａ）は平面図、図４（ｂ）は底面図、図４（ｃ）は正面図であり、図４（ｄ）はタイマ動作設定時の平面図である。また、図５は、リモコン５０の機能ブロックである。【００２２】
リモコン５０は、図４（ａ）に示すように上面視で横長の楕円形状で、図４（ｃ）に示すように側面視で舟形形状である。そして、リモコン５０は、図示において上側の頂部（短軸の上側の端部）と左右の頂部（長軸の左右の端部）のそれぞれの位置と相対する位置関係にリモコン信号を送信する第１の送信部５２ａ、第２の送信部５２ｂ、第３の送信部５２ｃとが取り付けられている。なお、第１〜第３の送信部５２ａ〜５２ｃは例えばＬＥＤ（Light Emitting Diode）であり、それらをまとめて単に送信部５２とも言う。【００２３】
リモコン５０は、外観上の構成において概ね縦に三分割されており、中央部分には液晶表示部５４が設けられ、右側にはＴＶコントロールキー部６０が左側には時計・ライトアップキー部７０が設けられている。このように、ＴＶコントロールキー部６０と時計・ライトアップキー部７０とを液晶表示部５４で分離しているため、ボタンの良好な操作性を実現できる。【００２４】
液晶表示部５４は、時刻及びタイマ作動時の経過時間を表示する時刻表示部５４ａと、選択されている機能を示す選択機能表示部５４ｂとを有している。図では、選択機能表示部５４ｂにおいて、時計機能である旨を示す「ＣＬＯＣＫ」の文字が中央に表示されている。なお、「ＣＬＯＣＫ」の左側には、キッチンタイマの機能が選択されたときに「ＫＩＴＣＨＥＮ  ＴＩＭＥＲ」の文字が表示され、「ＣＬＯＣＫ」の右側にはテレビタイマ機能が選択されたときに「ＡＬＡＲＭ」の文字が表示される。【００２５】
ＴＶコントロールキー部６０は、テレビ受信装置１０の音量アップ及びダウン、順送りでチャンネルアップ及びダウンによりチャンネルの変更を行うためのボタンが設けられている。より具体的には、ＴＶコントロールキー部６０には、半円の中央部分（左側中央部分）に設けられた電源ボタン（「ＰＯＷＥＲ」）６１と、電源ボタン６１の外側に半環状に、上から下まで時計回りに、チャンネルアップボタン６２（「ＣＨ  ∧」）と、音量アップボタン（「ＶＯＬ  ＋」）６４と、音量ダウンボタン６５（「ＶＯＬ  −」）と、チャンネルダウンボタン（「ＣＨ  ∨」）６３とが設けられている。ここで、チャンネルアップボタン６２とチャンネルダウンボタン６３、及び音量アップボタン６４と音量ダウンボタン６５は、図示において、それぞれ上下対称に配置されている。【００２６】
ユーザが電源ボタン６１を押下する度に、テレビ受信装置１０をオン又はオフする信号が、第１〜第３の送信部５２ａ〜５２ｃからテレビ受信装置１０に対して出力される。同様に、チャンネルアップボタン６２、チャンネルダウンボタン６３、音量アップボタン６４、音量ダウンボタン６５についても、ユーザが押下したボタンに関連づけられた信号が、送信部５２からテレビ受信装置１０に対して出力される。【００２７】
時計・ライトアップキー部７０は、ＴＶコントロールキー部６０とは、図示において左右対称のボタン配置となっている。具体的には、中央部分に「ＬＩＧＨＴ」と表記された照明ボタン７５が配されており、さらにその外側には半環状に上から下まで反時計回りに、「ＫＩＴＣＨＥＮ  ＴＩＭＥＲ／ＣＬＯＣＫ／ＡＬＡＲＭ」と表記された機能選択ボタン７１と、「ＭＩＮ／ＨＯＵＲ」と表記された第１時間設定ボタン７２と、「ＳＥＣ／ＭＩＮ」と表記された第２時間設定ボタン７３と、ＳＥＴ／ＳＴＯＰボタン７４とが設けられている。【００２８】
照明ボタン７５は、ユーザの押下により、内蔵するライト（図示せず）を点灯させてＴＶコントロールキー部６０や時計・ライトアップキー部７０の各ボタンを明るくするとともに、液晶表示部５４のバックライトを点灯させて、ユーザによる液晶表示部５４の視認性を向上させる。【００２９】
機能選択ボタン７１は、ユーザの押下にしたがって、キッチンタイマ、時計、アラームの各機能が順次選択され、選択された選択された機能は、液晶表示部５４の選択機能表示部５４ｂに表示される。【００３０】
第１時間設定ボタン７２と第２時間設定ボタン７３は、ユーザの押下により、時刻やタイマ時間を設定する。【００３１】
また、ＳＥＴ／ＳＴＯＰボタン７４は、時刻の設定を開始したり設定を終了するときにユーザにより押下される。そして、時刻表示の場合には図４（ａ）のリモコン５０に示したような表示がなされ、タイマ動作中には図４（ｄ）のリモコン５０に示したように表示がなされる。【００３２】
なお、図４（ｂ）に示すように、リモコン５０の底面の左右の端部近傍には、マグネット５５がそれぞれ内蔵されており、固定手段として機能する。これらマグネット５５によって、キッチンに設置されている冷蔵庫や収納棚の扉などに簡単に取り付けて操作性を向上できる。なお、固定手段としての機能は、マグネット５５に限る趣旨ではなく、例えば、吸盤などでもよい。また、リモコン５０の上面下側近傍には、収納検知スイッチ５３が設けられている。収納検知スイッチ５３は、例えば近接スイッチであり、リモコン５０がリモコン収納部１４に収納されたことを検知する。そしてリモコン５０がスタンド１２のリモコン収納部１４に収納された状態では、リモコン制御部５６は、テレビ受信装置１０への操作信号の出力を、テレビのリモコン受信部１６に最も近い第３の送信部５２ｃのみから行う。これによって、複数のリモコン信号送信部（５２ａ、５２ｂ、５２ｃ）を有するリモコン５０を操作する環境の中でいずれか一つの送信部からのみリモコン信号を送信し、他の二つのリモコン送信部からは送信を行わないため無駄な操作信号の出力が抑制され、リモコン５０に内蔵されたバッテリの消耗を抑制できる。【００３３】
そして、図５に示すように、リモコン５０は、ＴＶコントロールキー部６０や時計・ライトアップキー部７０の各ボタンに関連づけられた動作を行ったり液晶表示部５４の表示制御を行ったりするリモコン制御部５６と、時計及びタイマの機能を実現するＩＣ等の発信回路で構成されるタイマ５９と、警告音などを出力するブザー５８と、ユーザから設定されたタイマ動作に関する設定情報を記憶するタイマ情報保持部５７とを備える。タイマ情報保持部５７は、複数のタイマ動作の設定を記憶可能であってもよい。【００３４】
リモコン制御部５６は、必要に応じてテレビ受信装置１０に対してユーザの操作に関連づけられた命令を送信部５２から出力する。つまり、ＴＶコントロールキー部６０に対する操作がなされたときには、その操作対象であるボタンに関連づけられた動作を行うようテレビ受信装置１０に対して命令が、送信部５２から所定の信号として出力される。またキッチンタイマの機能が作動中であれば、カウントダウンを表示するよう指示する命令や、カウントアップとなったときにテレビ受信装置１０をオフにする命令などが送信部５２から所定の信号として出力される。なお、カウントアップ時のテレビ受信装置１０の動作は、オフとなるケースに限る趣旨ではなく、音声を変更したり、表示画面を変更したりしてもよい。カウントアップ時のテレビ受信装置１０やリモコン５０の動作例についてはいくつか後述する。【００３５】
つづいて、上述のキッチンタイマ、時計、アラームの各機能について説明する。
各機能とも、機能選択ボタン７１が押下されると選択されている機能が選択機能表示部５４ｂに所定期間だけ点滅表示される。そしてユーザは、点滅表示中に第１時間設定ボタン７２または第２時間設定ボタン７３を押下して、所望の時間の設定を行う。そして、時間の設定が終了したら、ユーザは、ＳＥＴ／ＳＴＯＰボタン７４を押下することで、選択された機能の時間カウントが開始する。【００３６】
まず、時計機能について説明する。キッチンタイマ機能やアラーム機能が選択されていないときには、リモコン５０は時計機能を作動させており、液晶表示部５４は時刻を表示する。時刻の表示を修正する場合、ユーザは、機能選択ボタン７１を押下し「ＣＬＯＣＫ」を選択して点滅表示させる。そして、ユーザは、第１時間設定ボタン７２で時刻の「時」部分を、また第２時間設定ボタン７３で「分」部分を変更する。変更が終了したら、ユーザはＳＥＴ／ＳＴＯＰボタン７４を押下する。これによって変更された時刻が設定される。【００３７】
つぎに、アラーム機能について説明する。このアラーム機能は、テレビ受信装置１０の電源オンまたはオフをリモコン５０で実現するものであり、設定された時刻になるとリモコン５０の送信部５２から、テレビ受信装置１０のオン又はオフの信号が出力される。テレビ受信装置１０がオンの状態であれば、この信号を受けるとテレビ受信装置１０の電源はオフになり、テレビ受信装置１０がオフの状態であれば電源がオンになる。【００３８】
ユーザは、機能選択ボタン７１を押下して「ＡＬＡＲＭ」を点滅表示させる。つづいて、ユーザは、第１時間設定ボタン７２で時刻の「時」部分を、また第２時間設定ボタン７３で「分」部分を変更する。変更が終了したら、ユーザはＳＥＴ／ＳＴＯＰボタン７４を押下する。なお、本実施形態では、オン又はオフがトグル式に動作するように設定するタイマ動作であったが、オン動作及びオフ動作を別々に設定可能としてもよい。【００３９】
つづいてキッチンタイマ機能について説明する。キッチンタイマ機能を実行する場合、ユーザはまず機能選択ボタン７１を所定回数押下させ、選択機能表示部５４ｂに「ＫＩＴＣＨＥＮ  ＴＩＭＥＲ」を点滅表示させる。これによって、キッチンタイマ機能が選択されたことになる。設定された内容は、タイマ情報保持部５７に記憶される。キッチンタイマ機能は、秒単位で設定可能で、設定時間の最大は、例えば６０分とする。また、報知音は一定時間後、自動的に停止する。ここで、キッチンタイマ機能としてタイマ動作として３動作を設定可能とする場合について説明する。例えば図４（ｄ）に示すように、選択機能表示部５４ｂに「ＫＩＴＣＨＥＮ  ＴＩＭＥＲ」が点滅表示されるとともに、時刻表示部５４ａには、上から順に「ＴＩＭＥＲ１」「ＴＩＭＥＲ２」「ＴＩＭＥＲ３」の設定時間と、タイマ動作状況が表示される。図示では、「ＴＩＭＥＲ１」は動作中であり、残り時間が「１０分１５秒」である旨が表示されている。また、「ＴＩＭＥＲ２」は、現在ユーザにより設定中であり、反転表示により示される。「ＴＩＭＥＲ３」は、タイマ動作が設定されておらず、その旨を示す「−」が表示されている。【００４０】
つぎにユーザは、希望する時間の「分」単位部分について第１時間設定ボタン７２の押下により設定し、つづいて「秒」単位部分について第２時間設定ボタン７３の押下により設定する。図４（ｄ）では、「ＴＩＭＥＲ２」について、「分」単位部分に「３０」が設定され、「秒」単位部分についてまだ設定がされていない状態が示されている。【００４１】
最後にユーザは、ＳＥＴ／ＳＴＯＰボタン７４を押下することで、キッチンタイマ機能の進行が開始する。例えば、「３０分００秒」を設定した場合、液晶表示部５４には、「３０分００秒」からカウントダウンが１秒ずつ進んでいく状態が表示される。そして、カウントアップして表示が「０分０秒」になると、リモコン制御部５６はブザー５８から報知音を出力する。また、リモコン制御部５６は、液晶表示部５４の表示を時刻表示にする。そして、報知音は、ユーザがＳＥＴ／ＳＴＯＰボタン７４を押下することで停止する。【００４２】
なお、リモコン５０においてキッチンタイマ機能が作動開始するときに、リモコン制御部５６は、設定された時間に関する情報を送信部５２からテレビ受信装置１０に対して出力する。このとき、テレビ受信装置１０がオフであればオンにしてもよい。テレビ受信装置１０は、その情報を受けるとキッチンタイマ機能が開始した旨及びリモコン５０で設定された時間をカウントダウンする。そして、リモコン状態表示制御部４４は、表示部３４にカウントダウンをＯＳＤ（On Screen Display）表示する。カウントアップ（残り時間ゼロ）になると、リモコン状態表示制御部４４は主制御部２０を介して表示部３４にカウントアップした旨を表示して、スピーカ３６から報知音を出力する。【００４３】
図６は、キッチンタイマ機能が作動しているときのテレビ受信装置１０を示した例であり、図６（ａ）では、表示画面の右下部分に、キッチンタイマが作動している旨、及び、残り時間が１５分である旨が表示されている。また、図６（ｂ）は、設定されたタイマ時間がカウントアップしたときのテレビ受信装置１０を示している。タイマがカウントアップすると、ユーザへの通知は画面中央に表示される。ここでは、テレビ受信装置１０がオフになる旨を表示している。なお、図６では、タイマ動作が一つの場合について例示しているが、タイマ動作が複数設定されている場合は、各タイマ動作のそれぞれの進行及びカウントアップが判別可能に表示される。【００４４】
上述の機能の利用例について簡単に説明する。ここでは、煮込み料理の例を考える。
１）材料の下ごしらえ
２）煮込み時間、例えば３０分をリモコン５０でキッチンタイマ時間３０分を設定する。
３）鍋に食材を入れてガスを点火する。
４）ガス点火とともに、リモコン５０でキッチンタイマをセットする。
５）キッチンタイマのセットに連動し、リモコン５０はテレビ受信装置１０に対してＴＶオン信号が送信する。
６）リモコン５０の表示部５４にタイマの進行が表示されるとともに、テレビ受信装置１０の表示部３４にもタイマの進行がＯＳＤ表示される。
７）３０分経過後、リモコン５０はカウントダウン終了と共にブザー５８から報知音を出力し、さらに連動してテレビ受信装置１０に電源をオフする信号を送信する。
このようにすることで、ユーザはタイマ経過時間を確実に把握できるので、煮込み時間を利用して料理の失敗を心配せずに、安心してＴＶ視聴が可能になる。【００４５】
このようにリモコン５０にキッチンタイマの機能を持たせることで、ユーザは料理の合間のＴＶ視聴操作が容易となる。また、キッチンタイマとテレビ受信装置１０の連携により、料理の合間を効率よくＴＶ視聴に利用できる。【００４６】
なお、テレビ受信装置１０におけるカウントダウン表示は、テレビ受信装置１０が備えるタイマ部４３を用いて経過時間を特定しているがこれに限る趣旨ではない。例えば、リモコン５０が所定の時間間隔、例えば１分間隔でタイマ５９の経過時間をテレビ受信装置１０に通知してもよい。つまり、リモコン５０からは、数字の情報がテレビ受信装置１０に通知される。すると、テレビ受信装置１０のリモコン状態表示制御部４４は、その数字に対応した時間を表示部３４に表示させる。また、表示部３４における表示は、ＯＳＤ表示とする。【００４７】
このような構成の場合、テレビ受信装置１０がキッチン以外の場所に設置してあっても、タイマ動作におけるカウントダウン表示が可能となり、ユーザはどこに居ても料理時間の監視が確実にでき、リビングでテレビ受信装置１０を視聴してキッチンで鳴るタイマの報知音を聞き逃すといったことを回避できる。【００４８】
テーブルの上に置いた状態や、マグネット５５で冷蔵庫等に固定した場合等の置き場所環境を問わず、複数のリモコン送信部５２（５２ａ、５２ｂ、５２ｃ）により、確実にテレビ連携が可能となる。マグネット５５によって、ユーザは身近にタイマ機能を有するリモコン５０を置くことができる。【００４９】
ここでリモコン５０と連携してタイマ動作を行うテレビ受信装置１０の動作について別の例につい説明する。この例では、タイマ動作を連携して行うテレビ受信装置１０がオン又はオフであるかに応じて、テレビ受信装置１０の動作が異なっている。【００５０】
図７は、リモコン５０からタイマ動作指示を受けた際のテレビ受信装置１０の動作を示すフローチャートである。テレビ受信装置１０の受信部１６がリモコン５０からのタイマ動作に関する設定情報（例えば、タイマ番号及びタイマ時間）を取得すると（Ｓ１０１）、主制御部２０はその設定情報をタイマ情報保持部４５に記憶する（Ｓ１０２）。つづいて、主制御部２０はテレビ受信装置１０がオン状態であるか否かを判断し判断結果を上述の設定情報に関連づけて記憶する（Ｓ１０３）。テレビ受信装置１０がオンである場合（Ｓ１０３のＹ）、主制御部２０はタイマ部４３のタイマ動作を開始させ（Ｓ１０４）、リモコン状態表示制御部４４は、そのタイマ進行に対応した時間、つまりカウントダウンを表示部３４にＯＳＤ表示させる（Ｓ１０５）。このとき、タイマ進行のＯＳＤ表示については、時刻表示との区別が明確になるようにするため、異なる表示色とされた、点滅で表示されたり、さらにタイマ動作中である旨の表示がなされてもよい。【００５１】
一方、Ｓ１０３の処理でテレビ受信装置１０がオフである場合（Ｓ１０３のＮ）、主制御部２０は電源制御部３８を制御して電源回路４０をオンさせ（Ｓ１０６）、カウントダウンの表示を開始する（Ｓ１０７）。このとき、チューナである復調回路２２はオフのままとする。さらに、タイマ進行（カウントダウン）の表示がなされるエリアのみが表示制御されるようにする。例えば、表示部３４が液晶表示パネルであれば、主制御部２０は、表示に必要とされる領域のみのバックライトをオンするように制御する。【００５２】
つぎに、カウントアップ時の処理について説明する。図８は、カウントアップ時のテレビ受信装置１０の動作について示したフローチャートである。まず、タイマ部４３の進行がタイマ情報保持部４５に記憶されている時間になりカウントアップとなると（Ｓ１１１）、主制御部２０は、テレビ受信装置１０が視聴状態であるか否かを判断する（Ｓ１１２）。例えば、復調回路２２がオンとなっている場合や、外部入力部２４に入力がある場合が、視聴状態であると判断される。そして、視聴状態である場合（Ｓ１１２のＹ）、主制御部２０は、リモコン状態表示制御部４４を制御してカウントアップとなった旨を表示部３４に表示する（Ｓ１１３）。この場合、ユーザが何らかのコンテンツを視聴している可能性が高いと判断され、画面表示や音声出力の邪魔にならないにするために、音声による報知はなされず、画面表示による報知のみがなされる。【００５３】
一方、Ｓ１１２の処理において、テレビ受信装置１０が視聴状態でないと判断した場合（Ｓ１１２のＮ）、主制御部２０は、リモコン状態表示制御部４４を制御してカウントアップとなった旨を表示部３４に表示するとともに音声によりユーザに報知する（Ｓ１１４）。なお、カウントアップのときには、リモコン５０においても報知動作がなされる。また、カウントアップ時にどのような報知動作がなされるかは、ユーザが設定可能であってもよく、当然に、視聴状態にない場合には、カウントアップしたときに、音声による報知のみがなされてもよい。そして、Ｓ１１３またはＳ１１４における報知動作が所定期間、例えば、１０秒経過したら、主制御部２０は、報知動作を終了する（Ｓ１１５）。そして主制御部２０は、所定の設定に応じてテレビ受信装置１０をオフにしたりする。【００５４】
このように、タイマ動作開始時のテレビ受信装置１０のオンオフ状態に応じて、カウントアップ時のテレビ受信装置１０の報知動作を設定することで、カウントアップ時の報知動作をより効果的に行うことができる。なお、リモコン５０がリモコン収納部１４に収納されている場合には、上述の通り、収納検知スイッチ５３がその旨を検知する。そのとき、リモコン制御部５６は、カウントアップ時の報知をリモコン５０では行わず、テレビ受信装置１０のみで報知がなされるようにしてもよい。これによってリモコン５０の報知出力に伴うバッテリ消耗が抑えられる。【００５５】
以上、本実施形態の作用及び効果の概要をまとめると、以下の通りである。
従来のリモコンのタイマ機能では、テレビ受信装置などの被操作対象を所望の動作状態とするために実行された。つまり、タイマ機能によって、オンオフやチャンネルの変更等、ユーザの操作が代行された。より具体的には、例えばテレビの時計機能と関連付けされたいわゆる放送番組の予約機能、電子番組表の予約機能、時計機能と連動したＯＮタイマ機能やＯＦＦタイマ等の各機能は、放送信号に含まれている時計データやその時計データと関連付けして時計機能と連動して動作している。しかし、本実施形態において提案した新たなタイマ機能は、テレビ受信装置１０などの被操作対象が上記の時計機能に連動した動作を行うようにユーザの操作に代わってするものではなく、ユーザがタイマの進行に伴って予め念頭に置いた動作を行うように促すことができる。つまり、リモコン５０でタイマ機能を単独で実行することができる。そして、テレビ受像装置１０とそのタイマ機能を連携させる場合でも、テレビ受像装置１０の動作を行うための時計機能には全く関連付けされていない時間情報をテレビ受像装置１０の備えたリモコンデータ通信機能および表示機能と連携して行うことができる。このような技術思想は、上述した特許文献１や特許文献２等の従来技術には開示されていない。【００５６】
＜第２の実施形態＞
上述の第１の実施形態では、リモコン５０からテレビ受信装置１０への一方向の通信によるタイマ制御がなされたが、本実施形態では、テレビ受信装置１１０からリモコン１５０への通信も行えるようにして、テレビ受信装置１１０からタイマ動作の変更が可能となっている。また、テレビ受信装置１１０は、リモコン１５０の本来の操作対象ではないものとし、リビングなどに置かれているものとする。一方、本来の操作対象のテレビ受信装置（第１の実施形態のテレビ受信装置１０）はキッチンに置かれているものとする。【００５７】
図９は、本実施形態に係るテレビ受信装置１１０の概略構成を示す機能ブロック図であり、図１０は、同様に本実施形態に係るリモコン１５０の概略構成を示す機能ブロック図である。図９及び図１０いずれも、第１の実施形態に示した構成・機能とほぼ同じであるので、異なる構成・機能について説明し、同一の構成・機能については同一の符号を付して説明を省略する。【００５８】
テレビ受信装置１１０は、リモコン１５０へ信号を送信するための送信部１７と、リモコン１５０との通信によりタイマ動作を行うための外部リモコン処理部４７を備えている。【００５９】
外部リモコン処理部４７は、本来、テレビ受信装置１１０を操作対象としていないリモコン１５０からの操作指示を受けるために、リモコン１５０による操作を可能とするための登録を行う機能と、登録されたリモコン１５０によって設定されたタイマ動作のキャンセルまたは変更をする機能とを備えている。【００６０】
さらに、人体検知センサ４６が設けられており、テレビ受信装置１１０の近くにユーザ等の人が存在しているか否かを検知する。人体検知センサ４６の検知結果に応じて省電力処理がなされたり、タイマ動作のカウントアップ時の報知動作が変更されたりする。【００６１】
また、リモコン１５０は、テレビ受信装置１１０を操作対象として登録する外部機器操作部８０と、テレビ受信装置１１０からの信号を受信するための受信部５１が設けられている。受信部５１は、第１〜３の送信部５２ａ〜５２ｃに対応した位置に設けられた第１〜３の受信部５１ａ〜５１ｃにより構成されている。そして、テレビ受信装置１１０の送信部１７は赤外線や無線などの所定の形式の信号を出力し、リモコン１５０の受信部５１がその信号を受信する。これによって、テレビ受信装置１１０とリモコン１５０は双方向通信を行う。一般に、同一メーカの機器同士では、同一のリモコンコードの信号形式を用いるため登録は不要であることが多いが、特定の機器とリモコンを関連づけて動作させるためには双方の機器の認証情報を用いて通信を制限すると、効果的なタイマ動作の制御が実現できる。【００６２】
図１１は、タイマ動作をテレビ受信装置１１０で変更またはキャンセルするときに表示部３４にされる画面例を示している。テレビ受信装置１１０の操作部１９や図示しないリモコンを操作することで、図１１（ａ）に示したような、タイマ動作の変更・キャンセル画面が表示される。ここでは、上段には放送画面Ａ１が、下段にはタイマ動作状況を示すタイマ動作画面Ａ２が同一の画面上に表示される。このとき、タイマ動作画面Ａ２には、３つのタイマ動作状況が選択可能に表示されている。例えば、「ＴＩＭＥＲ１」では、残り時間が１０分１５秒であり、「ＴＩＭＥＲ２」では残り時間が１５分００秒であることが分かる。【００６３】
そして、設定時間の変更のために「ＴＩＭＥＲ２」が選択されると、タイマ動作画面Ａ２は、図１１（ｂ）に示した画面に遷移する。そして、ユーザがタイマ動作を変更するときには、時間入力部Ｂ１に希望する変更後のタイマ時間（ここでは、２０分００秒）を入力して変更ボタンＢ２を選択押下すると、タイマ情報保持部４５に記録され変更が反映されるとともに、送信部１７からリモコン１５０へ変更内容が送信される。また、ユーザがタイマ動作をキャンセルするときには、キャンセルボタンＣ１を選択押下することで、タイマ情報保持部４５に記録されキャンセルが反映されるとともに、送信部１７からリモコン１５０（受信部５１）に対して「ＴＩＭＥＲ２」のタイマ動作がキャンセルされた旨が通知される。そして、変更またはキャンセルの指示を取得したリモコン１５０は、その指示をタイマ情報保持部５７に反映させるとともに、その通知に応じてタイマ動作を変更またはキャンセルする。【００６４】
このように、リモコン１５０で設定したタイマ動作を、リモコン１５０から離れた場所にあるテレビ受信装置１１０で変更やキャンセルを可能としたことで、ユーザは、キッチンからリビングなどに移動した場合でも、わざわざキッチンに戻らずにタイマ動作を変更やキャンセルできる。特に、所定の作業のためにタイマ動作を設定し、カウントアップ前に別の人がその作業を行った場合に、ユーザはわざわざキッチンに戻る必要がない。【００６５】
なお、リモコン１５０は、テレビ受信装置１１０に対して、タイマ動作の変更またはキャンセルが完了した旨を通知してもよく、テレビ受信装置１１０は、その通知を受けて変更またはキャンセルがリモコン１５０に反映された旨を表示してもよい。また、本実施形態では、リモコン１５０と本来操作対象としていないテレビ受信装置１１０との間のタイマ動作について説明したが、当然に、本来操作対処とするテレビ受信装置との間のタイマ動作にも適用できる。【００６６】
つづいて、カウントアップ時にテレビ受信装置１１０の近くにユーザがいない場合に、テレビ受信装置１１０の人体検知センサ４６の機能を利用して、報知態様を変更する処理について、図１２のフローチャートをもとに説明する。【００６７】
タイマ動作がカウントアップになると（Ｓ２０１）、テレビ受信装置１１０の主制御部２０は、人体検知センサ（例えば赤外線センサ）４６の検出結果をもとに、テレビ受信装置１１０の近くに人が存在するか否かを判断する（Ｓ２０２）。テレビ受信装置１１０の近くに人が存在すると判断された場合（Ｓ２０２のＹ）、テレビ受信装置１１０の主制御部２０は、テレビ受信装置１１０において予め設定された条件に従い報知を行う（Ｓ２０３）。例えば、表示部３４へのカウントアップの表示と、スピーカ３６からの報知音の出力がなされる。このときリモコン１５０は、テレビ受信装置１１０からの通知をうけて、報知音を小さく制御したり、報知をしない制御をしたりしてもよい。【００６８】
一方、Ｓ２０２の処理で、人が存在しないと判断された場合（Ｓ２０２のＮ）、主制御部２０は、送信部１７からその旨をリモコン１５０へ通知する（Ｓ２０４）。そして、主制御部２０は、テレビ受信装置１１０における報知を、スピーカ３６のみに制御する（Ｓ２０５）。つまり、人が存在しない場合に、表示によるカウントアップの報知は無駄であるので、音声による報知のみがなされる。なお、音声のみで報知がなされる場合、表示とともになさる場合と比べて、音量が大きく制御されてもよい。これによって、テレビ受信装置１１０の近傍にいない場合でも、ユーザは報知を確実に認識できる。【００６９】
また、上述では人体検知センサ４６の検出結果を基に人の存在が判断されたが、他に、テレビ受信装置１１０へのユーザからの操作に基づいて判断されてもよい。例えば、主制御部２０は、メモリ４２にユーザの最終操作時刻を記憶し、カウントアップとなった時刻がその最終操作時刻から所定時間以内（例えば、１０秒以内）であれば、ユーザがテレビ受信装置１０の近傍にいると判断して、主制御部２０は送信部１７を介してリモコン１５０へ通知する。リモコン１５０はその通知を受けて、カウントアップの報知を行わないように制御する。このようにすることで、無駄な報知処理が防止され、リモコン１５０のバッテリ消耗の低減がなされる。【００７０】
＜第３の実施形態＞
本実施形態では、第２の実施形態におけるリモコン１５０からのタイマ動作の通知をテレビ受信装置１１０ではなく、テレビ受信装置１１０に外部入力接続するレコーダ２１０により行う。例えば、テレビ受信装置１１０がリモコン１５０と連携して動作することができず、レコーダ２１０がリモコン１５０と連携する場合が想定される。【００７１】
図１３は、本実施形態に係るレコーダ２１０の概略構成を示す機能ブロック図である。なお、リモコン１５０は、第２の実施形態と同一構成でよく、説明は省略する。また、レコーダ２１０は、テレビ受信装置１１０と類似の構成であって、同様の機能を実現する構成については同一名称及び同一符号を付して説明を省略する。レコーダ２１０は、主制御部２０、メモリ４２と、ユーザからの操作を受け付ける操作部１９とを備える。さらに、レコーダ２１０は、アンテナ１８に接続される復調回路（チューナ）２２と、ＨＤＤ（Hard disk drive）やＤＶＤ（Digital Versatile Disc）ドライブ等の録再生ドライブ２２４と、セレクタ２６と、信号処理部２８と、所定の信号規格によりテレビ受信装置２１１などへ信号出力する出力部３２と、タイマ部４３とを有する。さらに、レコーダ２１０は、リモコン状態表示制御部４４と、タイマ情報保持部４５とを備える。また、レコーダ２１０は、電源回路４０と、電源制御部３８とを備える。【００７２】
このレコーダ２１０は、タイマ動作に関して第２の実施形態のテレビ受信装置１１０と同様の動作を行う。つまり、リモコン１５０からのタイマ動作の開始通知を受けて、タイマ部４３を動作開始し、タイマ進行を出力部３２からテレビ受信装置２１１へ出力する。そして、第２の実施形態と同様に、ユーザは、レコーダ２１０でタイマ設定の変更やキャンセルを行うことができ、必要に応じてタイマ動作に関してリモコン１５０と双方向通信を行う。【００７３】
本実施形態によれば、テレビ受信装置１１０以外の機器であっても、リモコン１５０のリモコン通信コードを認識して送受信が可能なレコーダを経由してタイマ動作に連携した動作を行なうことで、別のテレビ受信装置２１１を使用してユーザにタイマ動作の進行等を報知することができる。【００７４】
＜第４の実施形態＞
本実施形態では、第２の実施形態と同様の構成により実現されるものであるが、異なる点は、本実施形態のテレビ受信装置１１０はキッチンに置かれており、リモコン１５０の本来操作対象である。また、本実施形態では、第１及び第２の実施形態と同様の機能を実現でき、リモコン１５０は、３つの送信部５２（５２ａ〜５２ｃ）及び３つの受信部５１（５１ａ〜５１ｃ）を用いた３系統の通信経路によってテレビ受信装置１１０と双方向通信を行う。そして、本実施形態で特徴的な機能は、リモコン１５０とテレビ受信装置１１０との通信が確立したことが確認できたときに、通信経路を１系統に限定する。なお、第１の送信部５１ａと第１の受信部５２ａ、第２の送信部５１ｂと第２の受信部５２ｂ、第３の送信部５１ｃと第３の受信部５２ｃはそれぞれのペアで略同位置に設置されている。また双方向通信を用いれば送信側が第１の送信部５１ａと第２の送信部５１ｂと第３の送信部５１ｃとそれぞれ３つの送信部を有するのに対してテレビ側の受信部は共通の一つの受信部を有して通信することもできる。言い換えると、第１〜第３のリモコン信号通信部は、リモコン１５０の上面外周において、液晶表示部５４、ＴＶコントロールキー部６０、時計・ライトアップキー部７０の相対的位置関係を保って配置されている。以下、動作について具体的に説明する。【００７５】
まず、リモコン１５０がテレビ受信装置１１０に対して、第１〜第３の送信部５２ａ〜５２ｃから、ユーザの操作に基づいて信号を出力する。このとき、第１〜第３の送信部５２ａ〜５２ｃから出力される信号にはそれぞれどの送信部５２（５２ａ〜５２ｃ）から出力された信号かを認識可能となっている。より具体的には、信号に送信部５２を区別するためのＩＤが含まれていたり、出力するリモコン信号の変調周波数が異なっている。そして、テレビ受信装置１１０は、取得した信号が、リモコン１５０のどの送信部５２（５２ａ〜５２ｃ）から出力された信号かを認識することができる。つまり、信号に含まれるＩＤをもとに認識する場合には、そのＩＤを把握できるようになっている。また、周波数に基づいて認識する場合には、テレビ受信装置１１０の受信部１６が、受信可能な変調周波数を識別するかあるいはリモコン１５０の送信する周波数に対応した受信センサであればよい。ここではＩＤに基づいて認識する場合について説明する。【００７６】
そして、テレビ受信装置１１０は、上述の認識したＩＤをもとにどの系統の通信経路が通信に利用可能か判断し、送信部１７から利用可能な通信経路（ＩＤ）をひとつだけリモコン１５０に対して応答する。利用可能な通信経路が複数ある場合には、予め定められたＩＤがひとつだけ選択され通知される。リモコン１５０では、操作ボタンを押下し続けた場合でもテレビ受信装置１１０からの応答信号を受けると、応答信号において指定されたＩＤの通信経路に対応した送信部５２（５２ａ〜５２ｃ）のみを出力可能な状態に維持し、他の送信部５２（５２ａ〜５２ｃ）をオフして送信できないようにする。【００７７】
このような機能をリモコン１５０とテレビ受信装置１１０に実行させることで、例えば、マグネット５５によって、キッチンに設置されている冷蔵庫や収納棚の扉などに、リモコン１５０の向きや姿勢を意識せずに取り付けられた場合であっても、有効な一つの通信経路（送信部）のみをオンさせ、他の通信経路（送信部）をオフさせることができる。それによって、無駄な操作信号の出力が抑制され、リモコン１５０に内蔵されたバッテリの消耗を抑制できる。なお、リモコン１５０が、モーションセンサ等の姿勢を検知可能な構成を有しているときには、リモコン１５０の位置や姿勢が維持されている期間において、通信経路を一つに限定する上述の処理がなされてもよい。また、リモコン１５０とテレビ受信装置１１０との間で、所定のタイミングで、通信可能な状態が維持されているか確認する通信処理がなされてもよい。また、本実施形態では、通信確立の確認後、通信経路を一つに限定したが、これに限らず、通信確立が確認できなかった通信経路のみの送信部５１の機能が停止されてもよい。その場合、テレビ受信装置１１０は、通信が確立できたＩＤを全てリモコン１５０に通知する。【００７８】
以上、本発明を実施形態をもとに説明した。この実施形態は例示であり、それらの各構成要素や各処理プロセスの組合せにいろいろな変形例が可能なこと、またそうした変形例も本発明の範囲にあることは当業者に理解されるところである。【００７９】
例えば、本実施形態では、リモコン５０のタイマ機能をキッチンタイマとして利用したがこれに限る趣旨ではなく、例えば、風呂の湯沸かしや、洗濯の終了タイミングの通知など様々な利用が想定される。
【図１】
2009014206.tif 000003
【図２】
2009014206.tif 000004
【図３】
2009014206.tif 000005
【図４（ａ）】
2009014206.tif 000006
【図４（ｂ）】
2009014206.tif 000007
【図４（ｃ）】
2009014206.tif 000008
【図４（ｄ）】
2009014206.tif 000009
【図５】
2009014206.tif 000010
【図６（ａ）】
2009014206.tif 000011
【図６（ｂ）】
2009014206.tif 000012
【図７】
2009014206.tif 000013
【図８】
2009014206.tif 000014
【図９】
2009014206.tif 000015
【図１０】
2009014206.tif 000016
【図１１（ａ）】
2009014206.tif 000017
【図１１（ｂ）】
2009014206.tif 000018
【図１２】
2009014206.tif 000019
【図１３】
2009014206.tif 000020
【国際調査報告】
2009014206.tif 000021
2009014206.tif 000022
2009014206.tif 000023
2009014206.tif 000024
2009014206.tif 000025
2009014206.tif 000026
2009014206.tif 000027
2009014206.tif 000028